(57)【要約】      （修正有）【課題】液晶装置等の電気光学装置において、複数の画像信号線間の配線抵抗及び電気容量に起因する縦帯状の表示むらを低減する。【解決手段】電気光学装置は、基板上に、複数の画素部と、複数の画素部が配列された画素領域に配線された複数の走査線１１ａ及び複数のデータ線６ａと、画素領域の一辺に沿って配線された部分を含むと共に、Ｎ系列のシリアル−パラレル変換された画像信号が供給されるＮ本の画像信号線１７０とを備える。更に、Ｎ本の画像信号線に対して画素領域とは反対側に、一辺に沿って配置されると共に、Ｎ本のデータ線毎にデータ線を介して複数の画素部に画像信号を供給するためのデータ線駆動回路１０１と、一辺と交わる方向に沿って配列され、且つ、Ｎ本の画像信号線に夫々電気的に接続されると共に外部回路から画像信号が入力されるＮ個の画像信号端子１０２ｖ１〜１０２ｖ６とを備える。【選択図】図４
2007140267.tif 000002
【特許請求の範囲】
【請求項１】
基板上に、
複数の画素部と、
前記複数の画素部が配列された画素領域に相交差するように配線された複数の走査線及び複数のデータ線と、
前記画素領域の周辺に位置する周辺領域において前記画素領域の前記走査線に沿った一辺に沿って配線された部分を含むと共に、Ｎ（但し、Ｎは２以上の自然数）系列のシリアル−パラレル変換された画像信号が供給されるＮ本の画像信号線と、
前記周辺領域において前記Ｎ本の画像信号線に対して前記画素領域とは反対側に、前記一辺に沿って配置されると共に、Ｎ本の前記データ線毎に前記データ線を介して前記複数の画素部に前記画像信号を供給するためのデータ線駆動回路と、
前記周辺領域において前記一辺と交わる方向に沿って配列され、且つ、前記Ｎ本の画像信号線に夫々電気的に接続されると共に外部回路から前記画像信号が入力されるＮ個の画像信号端子と
を備えたことを特徴とする電気光学装置。
【請求項２】
前記Ｎ個の画像信号端子は、前記基板上で平面的に見て、前記Ｎ本の画像信号線のうち前記一辺に沿って配線された部分の延長線上に夫々配置されることを特徴とする請求項１に記載の電気光学装置。
【請求項３】
前記Ｎ個の画像信号端子と夫々電気的に接続されるＮ本の画像信号供給用フレキシブル配線を有すると共に、該Ｎ本の画像信号供給用フレキシブル配線が、前記基板上で平面的に見て、前記一辺に沿うように配置されたフレキシブル配線板を備えたことを特徴とする請求項１又は２に記載の電気光学装置。
【請求項４】
前記データ線駆動回路を制御する信号を供給するデータ線駆動回路用制御信号線を備え、該データ線駆動回路用制御信号線が前記画像信号線と交差するように引き回されていることを特徴とする請求項１から３のいずれか一項に記載の電気光学装置。
【請求項５】
請求項１から４のいずれか一項に記載の電気光学装置を具備してなることを特徴とする電子機器。
【発明の詳細な説明】
【技術分野】
【０００１】
本発明は、例えば液晶装置等の電気光学装置、及び該電気光学装置を備えた、例えば液晶プロジェクタ等の電子機器の技術分野に関する。
【背景技術】
【０００２】
この種の電気光学装置は、一般に、シリアル−パラレル変換（或いは、「シリアル−パラレル展開」又は「相展開」とも称される）された画像信号に基づいて駆動される。例えば、液晶装置において、基板上の画像表示領域に配線された複数のデータ線は所定の本数毎にブロック化されており、シリアル−パラレル変換された画像信号は、ブロック単位で、該ブロックに含まれるデータ線にサンプリングスイッチを介して供給される。これにより、所定の本数のデータ線が同時に、且つ複数のデータ線は所定の本数毎に順次駆動される。この場合、複数の画像信号線は、複数の外部回路接続端子からサンプリングスイッチを含むサンプリング回路に至るまで、基板上で並走すると共にデータ線駆動回路を回避するように配線されるのが一般的である。例えば特許文献１に本願出願人により開示されているように、複数の画像信号線は、データ線の配列方向に沿って基板の縁に近い領域に配列された複数の外部回路接続端子から、基板上で平面的に見てデータ線駆動回路を回避するようにサンプリング回路まで配線される。
【０００３】
【特許文献１】特開平１１−９５２５７号公報
【発明の開示】
【発明が解決しようとする課題】
【０００４】
しかしながら、特許文献１に開示された技術によれば、複数の画像信号線間の配線長の差が比較的大きいため、複数の画像信号線間に配線抵抗或いは電気容量のばらつきが大きくなってしまい、画像表示において縦帯状のむらが発生してしまうという技術的問題点がある。
【０００５】
本発明は、例えば上述した問題点に鑑みなされたものであり、複数の画像信号線間の配線抵抗及び電気容量に起因する縦帯状の表示むらを低減する電気光学装置及び該電気光学装置を具備してなる電子機器を提供することを課題とする。
【課題を解決するための手段】
【０００６】
本発明の電気光学装置は、上記課題を解決するために、基板上に、複数の画素部と、前記複数の画素部が配列された画素領域に相交差するように配線された複数の走査線及び複数のデータ線と、前記画素領域の周辺に位置する周辺領域において前記画素領域の前記走査線に沿った一辺に沿って配線された部分を含むと共に、Ｎ（但し、Ｎは２以上の自然数）系列のシリアル−パラレル変換された画像信号が供給されるＮ本の画像信号線と、前記周辺領域において前記Ｎ本の画像信号線に対して前記画素領域とは反対側に、前記一辺に沿って配置されると共に、Ｎ本の前記データ線毎に前記データ線を介して前記複数の画素部に前記画像信号を供給するためのデータ線駆動回路と、前記周辺領域において前記一辺と交わる方向に沿って配列され、且つ、前記Ｎ本の画像信号線に夫々電気的に接続されると共に外部回路から前記画像信号が入力されるＮ個の画像信号端子とを備える。
【０００７】
本発明の電気光学装置によれば、その駆動時には、シリアル−パラレル変換されたＮ系列の画像信号（即ち、パラレルなＮ個の画像信号）が、外部回路から、例えば複数の外部回路接続端子のうちＮ個の画像信号端子を介してＮ本の画像信号線に夫々供給され、更に、例えば、複数のデータ線に夫々対応して配列された複数のサンプリングスイッチを含むサンプリング回路へと供給される。Ｎ系列の画像信号は、駆動周波数の上昇を抑えつつ高精細な画像表示を実現すべく、外部回路によって、シリアルな画像信号が、３相、６相、１２相、２４相、・・・など、複数系列のパラレルな画像信号（即ち、パラレルな複数個の画像信号）に変換されることによって生成される。
【０００８】
このような画像信号の供給と並行して、データ線駆動回路によって、例えばＮ本のデータ線を１群とするデータ線群に対応するサンプリングスイッチ毎に、サンプリング信号が順次供給される。すると、サンプリング回路によって、複数のデータ線には、サンプリング信号に応じてデータ線群毎にＮ系列の画像信号が順次供給される。よって、同一のデータ線群に属するデータ線は同時に駆動されることとなる。言い換えれば、複数のデータ線は、所定の本数毎にブロック化されており、ブロック単位で、同時に駆動されることとなる。尚、サンプリングスイッチは、例えば、片チャネル型のＴＦＴにより夫々構成され、ソースが画像信号線に電気的に接続され、ドレインがデータ線に接続され、ゲートにサンプリング信号が供給されることでオン状態とされる。
【０００９】
このようにデータ線が駆動されると、各画素部では、例えば、走査線駆動回路から走査線を介して供給される走査信号に応じて、スイッチング動作を行う画素スイッチング素子を介して、データ線より画像信号が表示素子に供給される。これにより、例えば表示素子である液晶素子は供給された画像信号に基づいて画素領域或いは画素アレイ領域（又は「画像表示領域」とも呼ぶ）において画像表示を行う。
【００１０】
本発明では、Ｎ本の画像信号線は、画素領域の周辺に位置する周辺領域において画素領域の走査線に沿った一辺に沿って（即ち、各走査線の延びる方向である「Ｘ方向」に沿って）配線された部分を含む。一方、データ線駆動回路は、周辺領域においてＮ本の画像信号線に対して画素領域とは反対側に、前記一辺に沿って配置される。
【００１１】
本発明では特に、Ｎ個の画像信号端子は、周辺領域において、データ線駆動回路が配置される一辺と交わる方向（或いはＮ本の画像信号線が配線される方向と交わる方向、即ち、各データ線が延びる方向である「Ｙ方向」）に沿って配列される。言い換えれば、Ｎ個の画像信号端子は、周辺領域において、前記一辺と交わる方向（即ち、Ｙ方向）に沿った基板の縁に近い領域に配列されており、基板上で平面的に見て、Ｎ本の画像信号線が画素領域の一辺に沿って配線された部分とＮ個の画像信号端子との間にはデータ線駆動回路は配置されない。よって、Ｎ個の画像信号端子が周辺領域において、データ線駆動回路が配置される一辺に沿って配列される場合と比較して、Ｎ本の画像信号線間の配線長の差異を殆ど或いは実践的な意味で完全に無くすことができる。従って、Ｎ本の画像信号線間の配線抵抗或いは電気容量の差異に起因して生じる縦帯状の表示むらを殆ど或いは実践的な意味で完全に無くすことが可能となる。
【００１２】
即ち、仮に、Ｎ個の画像信号端子を含む複数の外部回路接続端子が、外部回路との電気的な接続のために周辺領域における、前記一辺に沿った（即ち、Ｘ方向に沿った）基板の縁に近い領域に配列された場合には、複数の外部回路接続端子（言い換えれば、Ｎ個の画像信号端子）は、基板上で平面的に見て、データ線駆動回路に対して、画素領域とは反対側に位置するので、データ線駆動回路の周囲を迂回するように、Ｎ本の画像信号線を引き回さなければならず、外回りと内回りとの差異によりＮ本の画像信号線間に生ずる配線長の差異が比較的大きくならざるを得ない。従って、Ｎ本の画像信号線間の配線抵抗或いは電気容量の差異に起因して画像表示において縦帯状のむら、言い換えれば、パラレルな画像信号により同時に駆動されるブロック単位のむらが発生してしまう。
【００１３】
しかるに本発明では特に、上述したように、Ｎ個の画像信号端子は、周辺領域において、データ線駆動回路が配置される一辺と交わる方向（即ち、Ｙ方向）に沿って配列される。よって、基板上で平面的に見て、Ｎ本の画像信号線のうち画素領域の一辺に沿って（即ち、Ｘ方向に沿って）配線された部分を、殆ど或いは実践上完全にそのまま該一辺に沿って（即ち、Ｘ方向に沿って）Ｎ個の画像信号端子まで夫々延設することにより、Ｎ本の画像信号線及びＮ個の画像信号端子間を夫々電気的に接続するように構成すれば、Ｎ本の画像信号線の配線長を殆ど或いは実践的な意味で完全に等しく保ちつつ、基板上で平面的に見てデータ線駆動回路を回避できるので、Ｎ本の画像信号線間の配線長の差異を殆ど或いは実践的な意味で完全に無くすことができる。従って、Ｎ本の画像信号線間の配線抵抗或いは電気容量の差異に起因して生じる縦帯状の表示むらを殆ど或いは実践的な意味で完全に無くすことが可能となる。
【００１４】
本発明の電気光学装置の一態様では、前記Ｎ個の画像信号端子は、前記基板上で平面的に見て、前記Ｎ本の画像信号線のうち前記一辺に沿って配線された部分の延長線上に夫々配置される。
【００１５】
この態様によれば、Ｎ本の画像信号端子の配列ピッチ（即ち、画素領域の一辺と交わる方向（即ち、Ｙ方向）に沿った配列間隔）と、Ｎ本の画像信号線の配線間隔（即ち、Ｎ本の画像信号線のうち画素領域の一辺に沿って配線された部分の互いに隣接する間隔）とは互いに殆ど或いは実践上完全に等しい。よって、Ｎ本の画像信号線のうち一辺に沿って配線された部分を殆ど或いは完全にそのまま一辺に沿って延長して配線することで、Ｎ個の画像信号端子と電気的に接続することができる。即ち、Ｎ本の画像信号線間の配線長の差異をより一層或いは完全に無くすことができる。従って、Ｎ本の画像信号線間の配線抵抗或いは電気容量の差異に起因して生じる縦帯状の表示むらをより一層或いは完全に無くすことが可能となる。
【００１６】
本発明の電気光学装置の他の態様では、前記Ｎ個の画像信号端子と夫々電気的に接続されるＮ本の画像信号供給用フレキシブル配線を有すると共に、該Ｎ本の画像信号供給用フレキシブル配線が、前記基板上で平面的に見て、前記一辺に沿うように配置されたフレキシブル配線板を備えたことを特徴とする請求項１又は２に記載の電気光学装置。
【００１７】
この態様によれば、外部回路から画像信号がＮ本の画像信号供給用フレキシブル配線を介してＮ個の画像信号端子に夫々供給される。Ｎ本の画像信号供給用フレキシブル配線は、典型的には、フレキシブル配線板上で平面的に見て、互いに並んで或いは平行に配線される。フレキシブル配線板は、Ｎ本の画像信号供給用フレキシブル配線が、基板上で平面的に見て、一辺に沿う（即ち、Ｘ方向に沿う）ように配置される。よって、Ｎ本の画像信号供給用フレキシブル配線を互いに殆ど或いは完全に等しい配線長となるように、外部回路から画像信号端子まで配線することができる。従って、Ｎ本の画像信号供給用フレキシブル配線間の配線抵抗或いは電気容量の差異に起因して生じる縦帯状の表示むらを殆ど或いは完全に無くすことが可能となる。
【００１８】
本発明の電気光学装置の他の態様では、前記データ線駆動回路を制御する信号を供給するデータ線駆動回路用制御信号線を備え、該データ線駆動回路用制御信号線が前記画像信号線と交差するように引き回されている。
【００１９】
この態様によれば、データ線駆動回路用制御信号線は、基板上で平面的に見て、画像信号線と互いに交差するように引き回されている。即ち、データ駆動回路用制御信号線及び画像信号線は、例えば、互いに交差する部分において層間絶縁膜を介して相異なる層に位置する導電膜から夫々形成される。よって、データ線駆動回路用制御信号線及び画像信号線を配線する自由度が高い。従って、データ線駆動回路用制御信号線及び画像信号線を配線するために必要な基板上の面積を小さくすることができるので、基板サイズを小さくすることが可能である。
【００２０】
本発明の電子機器は、上述した本発明の電気光学装置を具備してなるので、高品質な画像表示を行うことが可能な、投射型表示装置、テレビ、携帯電話、電子手帳、ワードプロセッサ、ビューファインダ型又はモニタ直視型のビデオテープレコーダ、ワークステーション、テレビ電話、ＰＯＳ端末、タッチパネルなどの各種電子機器を実現できる。また、本発明の電子機器として、例えば電子ペーパなどの電気泳動装置、電子放出装置（Field Emission Display及びConduction Electron-Emitter Display）、これら電気泳動装置、電子放出装置を用いた装置としてＤＬＰ（Digital Light Processing）等を実現することも可能である。
【００２１】
本発明の作用及び他の利得は次に説明する実施するための最良の形態から明らかにされよう。
【発明を実施するための最良の形態】
【００２２】
以下では、本発明の実施形態について図を参照しつつ説明する。以下の実施形態では、本発明の電気光学装置の一例である駆動回路内蔵型のＴＦＴアクティブマトリクス駆動方式の液晶装置を例にとる。
＜第１実施形態＞
第１実施形態に係る液晶装置について、図１から図６を参照して説明する。
【００２３】
先ず、図１及び図２を参照して、本実施形態に係る液晶装置の全体構成について説明する。ここに図１は、本実施形態に係る液晶装置の構成を示す平面図であり、図２は、図１のＨ−Ｈ´線での断面図である。
【００２４】
図１及び図２において、本実施形態に係る液晶装置では、ＴＦＴアレイ基板１０と対向基板２０とが対向配置されている。ＴＦＴアレイ基板１０と対向基板２０との間に液晶層５０が封入されており、ＴＦＴアレイ基板１０と対向基板２０とは、本発明に係る「画素領域」の一例としての画像表示領域１０ａの周囲に位置するシール領域に設けられたシール材５２により相互に接着されている。
【００２５】
図１において、シール材５２が配置されたシール領域の内側に並行して、画像表示領域１０ａの額縁領域を規定する遮光性の額縁遮光膜５３が、対向基板２０側に設けられている。周辺領域のうち、シール材５２が配置されたシール領域の外側に位置する領域には、データ線駆動回路１０１がＴＦＴアレイ基板１０の一辺に沿って設けられており、本実施形態では特に、後述する画像信号端子を含む外部回路接続端子１０２がＴＦＴアレイ基板１０のこの一辺に隣接する他の辺に沿って設けられている。この一辺に沿ったシール領域よりも内側に、サンプリング回路７が額縁遮光膜５３に覆われるようにして設けられている。また、走査線駆動回路１０４は、この一辺に隣接する２辺（即ち、他の辺及びこれに対向する辺）に沿ったシール領域の内側に、額縁遮光膜５３に覆われるようにして設けられている。また、ＴＦＴアレイ基板１０上には、対向基板２０の４つのコーナー部に対向する領域に、両基板間を上下導通材１０７で接続するための上下導通端子１０６が配置されている。これらにより、ＴＦＴアレイ基板１０と対向基板２０との間で電気的な導通をとることができる。
【００２６】
ＴＦＴアレイ基板１０上には、外部回接続端子１０２と、データ線駆動回路１０１、走査線駆動回路１０４、上下導通端子１０６等とを電気的に接続するための引回配線９０が形成されている。尚、引回配線９０には、後述する画像信号線等が含まれている。
【００２７】
図２において、ＴＦＴアレイ基板１０上には、駆動素子である画素スイッチング用のＴＦＴ（Thin Film Transistor）や走査線、データ線等の配線が作り込まれた積層構造が形成される。画像表示領域１０ａには、画素スイッチング用ＴＦＴや走査線、データ線等の配線の上層に画素電極９ａが設けられている。他方、対向基板２０におけるＴＦＴアレイ基板１０との対向面上に、遮光膜２３が形成されている。そして、遮光膜２３上に、ＩＴＯ（Indium Tin Oxide）等の透明材料からなる対向電極２１が複数の画素電極９ａと対向して形成される。また、液晶層５０は、例えば一種又は数種類のネマティック液晶を混合した液晶からなり、これら一対の配向膜間で、所定の配向状態をとる。
【００２８】
尚、ここでは図示しないが、ＴＦＴアレイ基板１０上には、データ線駆動回路１０１、走査線駆動回路１０４の他に、製造途中や出荷時の当該液晶装置の品質、欠陥等を検査するための検査回路、検査用パターン等が形成されていてもよい。
【００２９】
次に、液晶装置の全体構成について、図３を参照して説明する。ここに図３は、液晶装置の全体構成を示すブロック図である。
【００３０】
図３に示すように、液晶装置は、液晶パネル１００を備えると共に、外部回路として設けられた画像信号供給回路７２０、タイミング制御回路７３０、及び電源回路７１０を備える。
【００３１】
タイミング制御回路７３０は、各部で使用される各種タイミング信号を出力するように構成されている。タイミング制御回路７３０の一部であるタイミング信号出力手段により、最小単位のクロックであり各画素を走査するためのドットクロックが作成され、このドットクロックに基づいて、Ｙクロック信号ＣＬＹ、反転Ｙクロック信号ＣＬＹｉｎｖ、Ｘクロック信号ＣＬＸ１〜ＣＬＸ４、反転Ｘクロック信号ＣＬＸ１ｉｎｖ〜ＣＬＸ４ｉｎｖ、ＹスタートパルスＤＹ及びＸスタートパルスＤＸが生成される。
【００３２】
画像信号供給回路７２０には、外部から１系統の入力画像データＶＩＤが入力される。画像信号供給回路７２０は、１系統の入力画像データＶＩＤをシリアル−パラレル変換して、Ｎ相（但し、Ｎは２以上の自然数）、本実施形態では６相（Ｎ＝６）の画像信号ＶＩＤ１〜ＶＩＤ６を生成する。更に、画像信号供給回路７２０において、画像信号ＶＩＤ１〜ＶＩＤ６の各々の電圧が、所定の基準電位に対して正極性及び負極性に反転され、このように極性反転された画像信号ＶＩＤ１〜ＶＩＤ６が出力されるようにしてもよい。
【００３３】
また、電源回路７１０は、所定の共通電位ＬＣＣの共通電源を、図２に示す対向電極２１に供給する。本実施形態において、対向電極２１は、図２に示す対向基板２０の下側に、複数の画素電極９ａと対向するように形成されている。
【００３４】
次に、液晶パネルにおける電気的な構成について、図４を参照して説明する。ここに図４は、液晶パネルの電気的な構成を示すブロック図である。
【００３５】
図４に示すように、液晶パネル１００には、そのＴＦＴアレイ基板１０の周辺領域に、走査線駆動回路１０４、データ線駆動回路１０１及びサンプリング回路７を含む内部駆動回路が設けられている。
【００３６】
走査線駆動回路１０４には、外部回路接続端子１０２及び走査線駆動回路用制御信号線９４を介して、Ｙクロック信号ＣＬＹ、反転Ｙクロック信号ＣＬＹｉｎｖ、ＹスタートパルスＤＹ、並びに電源ＶＤＤＹ及びＶＳＳＹが供給される。走査線駆動回路１０４は、ＹスタートパルスＤＹが入力されると、Ｙクロック信号ＣＬＹ及び反転Ｙクロック信号ＣＬＹｉｎｖに基づくタイミングで、走査信号Ｇ１、・・・、Ｇｍを順次生成して出力する。
【００３７】
データ線駆動回路１０１には、外部回路接続端子１０２及びデータ線駆動回路用制御信号線９１を介して、Ｘクロック信号ＣＬＸ１〜ＣＬＸ４、反転Ｘクロック信号ＣＬＸ１ｉｎｖ〜ＣＬＸ４ｉｎｖ、ＸスタートパルスＤＸ並びに電源ＶＤＤＸ及びＶＳＳＸが供給される。データ線駆動回路１０１は、ＸスタートパルスＤＸが入力されると、Ｘクロック信号ＣＬＸ及び反転Ｘクロック信号ＸＣＬＸｉｎｖに基づくタイミングで、サンプリング信号Ｓ１、・・・、Ｓｎを順次生成して出力する。
【００３８】
サンプリング回路７は、Ｐチャネル型又はＮチャネル型の片チャネル型ＴＦＴ、若しくは相補型のＴＦＴから構成されたサンプリングスイッチ７ｓを複数備える。
【００３９】
液晶パネル１００は更に、そのＴＦＴアレイ基板の中央を占める画像表示領域１０ａに、縦横に配線されたデータ線６ａ及び走査線１１ａを備えている。即ち、データ線６ａはＹ方向に延びるように配線され、走査線１１ａはＸ方向に延びるように配線されている。それらの交点に対応する各画素部７００に、マトリクス状に配列された液晶素子１１８の画素電極９ａ、及び画素電極９ａをスイッチング制御するためのＴＦＴ３０を備える。尚、本実施形態では、走査線１１ａの総本数をｍ本（但し、ｍは２以上の自然数）とし、データ線６ａの総本数をｎ本（但し、ｎは２以上の自然数）として説明する。
【００４０】
６相にシリアル−パラレル展開された画像信号ＶＩＤ１〜ＶＩＤ６は、外部回路接続端子１０２及びＮ本、本実施形態では６本の画像信号線１７０を介して液晶パネル１００に供給される。そして、ｎ本のデータ線６ａは、以下に説明するように、画像信号線１７０の本数に対応する６本のデータ線６ａを１群とするデータ線群毎に、順次駆動される。
【００４１】
データ線駆動回路１０１から、データ線群に対応するサンプリングスイッチ７ｓ毎にサンプリング信号Ｓｉ（ｉ＝１、２、・・・、ｎ）が順次供給され、サンプリング信号Ｓｉに応じて各サンプリングスイッチ７ｓはオン状態となる。後述するように、各サンプリングスイッチ７ｓは、分岐配線を介して画像信号線１７０に接続されている。尚、この分岐配線の詳細な構成は後述する。
【００４２】
よって、６本の画像信号線１７０から画像信号ＶＩＤ１〜ＶＩＤ６が、オン状態となったサンプリングスイッチ７ｓを介して、データ線群に属するデータ線６ａに同時に、且つデータ線群毎に順次供給される。よって、データ線群に属するデータ線６ａは互いに同時に駆動されることとなる。従って、本実施形態では、ｎ本のデータ線６ａをデータ線群毎に駆動するため、駆動周波数が抑えられる。
【００４３】
図４中、一つの画素部７００の構成に着目すれば、ＴＦＴ３０のソース電極には、画像信号ＶＩＤｋ（但し、ｋ＝１、２、３、・・・、６）が供給されるデータ線６ａが電気的に接続されている一方、ＴＦＴ３０のゲート電極には、走査信号Ｇｊ（但し、ｊ＝１、２、３、・・・、ｍ）が供給される走査線１１ａが電気的に接続されるとともに、ＴＦＴ３０のドレイン電極には、液晶素子１１８の画素電極９ａが接続されている。ここで、各画素部７００において、液晶素子１１８は、画素電極９ａと対向電極２１との間に液晶を挟持してなる。従って、各画素部７００は、走査線１１ａとデータ線６ａとの各交点に対応して、マトリクス状に配列されることになる。
【００４４】
走査線駆動回路１０４から出力される走査信号Ｇ１、・・・、Ｇｍによって、各走査線１１ａは線順次に選択される。選択された走査線１１ａに対応する画素部７００において、ＴＦＴ３０に走査信号Ｇｊが供給されると、ＴＦＴ３０はオン状態となり、当該画素部７００は選択状態となる。液晶素子１１８の画素電極９ａには、ＴＦＴ３０を一定期間だけそのスイッチを閉じることにより、データ線６ａより画像信号ＶＩＤｋが所定のタイミングで供給される。これにより、液晶素子１１８には、画素電極９ａ及び対向電極２１の各々の電位によって規定される印加電圧が印加される。液晶は、印加される電圧レベルにより分子集合の配向や秩序が変化することにより、光を変調し、階調表示を可能とする。ノーマリーホワイトモードであれば、各画素の単位で印加された電圧に応じて入射光に対する透過率が減少し、ノーマリーブラックモードであれば、各画素の単位で印加された電圧に応じて入射光に対する透過率が増加され、全体として液晶パネル１００からは画像信号ＶＩＤ１〜ＶＩＤ６に応じたコントラストをもつ光が出射する。
【００４５】
ここで、保持された画像信号がリークするのを防ぐために、蓄積容量７０が、液晶素子１１８と並列に付加されている。蓄積容量７０の一方の電極は、画素電極９ａと並列してＴＦＴ３０のドレインに接続され、他方の電極は、定電位となるように、電位固定の容量配線４００に接続されている。
【００４６】
尚、上下導通端子１０６には、共通電位ＬＣＣの共通電源が供給されている。
【００４７】
次に、データ線の駆動に係る主要な構成について、図５を参照して説明する。ここに図５は、データ線の駆動に係る回路構成を示す回路図である。
【００４８】
以下では、データ線６ａの駆動に係る主要な構成について、ｎ本のデータ線６ａが、その配列方向に沿って片方向に或いは双方向のうちの一方の方向にデータ線群毎に順次駆動される際、データ線駆動回路１０１から第（ｉ−１）番目、第ｉ番目、及び第（ｉ＋１）番目に出力される３つのサンプリング信号Ｓｉ−１、Ｓｉ、Ｓｉ＋１に基づいて駆動される３つのデータ線群のうち、特に第ｉ番目のサンプリング信号Ｓｉに基づいて駆動される第ｉデータ線群の構成に着目して説明する。尚、以下に説明する第ｉデータ線群に係る構成は、第（ｉ−１）データ線群及び第（ｉ＋１）データ線群についても同様である。
【００４９】
図５において、第ｉデータ線群に属するデータ線６ａｅ（即ち、データ線６ａｅ−１〜６ａｅ−６）の配列に対応して、分岐配線１７５のうち６本の分岐配線Ｅ１〜Ｅ６が配列されている。また、６本の画像信号線１７０−１〜１７０−６は、データ線６ａｅの配列方向に交差する方向に沿って配列されている。そして、６本の分岐配線Ｅ１〜Ｅ６の一端は、６本の画像信号線１７０−１〜１７０−６のうち対応する一本に、夫々電気的に接続されると共に、これら６本の分岐配線Ｅ１〜Ｅ６の他端は夫々サンプリングスイッチ７ｓを介してデータ線６ａｅに電気的に接続される。各サンプリングスイッチを構成するＴＦＴ７ｓは、ソースが分岐配線Ｅｋに接続されると共に、ドレインがデータ線６ａｅに電気的に接続される。また、各ＴＦＴ７ｓのゲートは、制御配線Ｘ１〜Ｘ６を介してデータ線駆動回路１０１に電気的に接続されている。尚、制御配線Ｘ１〜Ｘ６には第ｉ番目のサンプリング信号Ｓｉがデータ線駆動回路１０１から供給される。
【００５０】
ＴＦＴアレイ基板１０上において、６本の画像信号線１７０−１〜１７０−６は、例えば、データ線６ａｅと同一材料の低抵抗のアルミニウム膜によって形成されている。また、制御配線Ｘ１〜Ｘ６は、画像信号線１７０−１〜１７０−６と交差する方向であってデータ線６ａｅの延びる方向に配線され、例えばポリシリコン膜によって形成されている。また、各分岐配線Ｅ１〜Ｅ６は、対応する画像信号線１７０−ｋに電気的に接続される一端側よりデータ線６ａｅの延びる方向に、配線されている。そして、各分岐配線Ｅ１〜Ｅ６の一部はサンプリングスイッチ７ｓのソース電極を形成し、第ｉデータ線群に属するデータ線６ａｅの各々の一部はサンプリングスイッチ７ｓのドレイン電極を形成し、各制御配線Ｘ１〜Ｘ６の一部はサンプリングスイッチ７ｓのゲート電極を形成している。
【００５１】
次に、画像信号線及び画像信号端子のＴＦＴアレイ基板上におけるレイアウトについて、図６を参照して説明する。ここに図６は、画像信号線及び画像信号端子のＴＦＴアレイ基板上におけるレイアウトを示す平面図である。
【００５２】
図６に示すように、ＴＦＴアレイ基板１０上において、画像信号線１７０−１〜１７０−６は、層間絶縁膜を介して相異なる膜（即ち、上述したように例えば、ポリシリコン膜）から形成された分岐配線１７５と、層間絶縁膜に開孔されたコンタクトホール６１を介して夫々電気的に接続されている。
【００５３】
データ線駆動回路用制御信号線９１は、外部回路接続端子１０２からデータ線駆動回路１０１に至るまで、途中で画像信号線１７０−１〜１７０−６とＴＦＴアレイ基板１０上で平面的に見て交差しつつ配線されている。データ線駆動回路用制御信号線９１は、例えば、分岐配線１７５と同一材料のポリシリコン膜によって形成されており、画像信号線１７０−１〜１７０−６と互いに電気的に接続されていない、即ち、互いに層間絶縁膜によって絶縁されている。尚、データ線駆動回路用制御信号線９１は、ＴＦＴアレイ基板１０上で平面的に見て、画像信号線１７０−１〜１７０−６と交わらない部分を、例えば、画像信号線１７０−１〜１７０−６と同一材料の低抵抗のアルミニウム膜から形成し、画像信号線１７０−１〜１７０−６と交わる部分を、例えば、分岐配線１７０と同一材料のポリシリコン膜から形成してもよい。この際、画像信号線１７０−１〜１７０−６と交わらない部分及び交わる部分を、例えば層間絶縁膜に開孔されたコンタクトホールを介して電気的に接続すればよい。
【００５４】
図６において、画像信号線１７０−１〜１７０−６は、画像表示領域１０ａ（図１又は図４参照）の周辺に位置する周辺領域においてＸ方向に沿って配線された部分を含んでいる。一方、データ線駆動回路１０１は、周辺領域において画像信号線１７０−１〜１７０−６に対して画像表示領域１０ａとは反対側（即ち、図６中、画像信号線１７０−１〜１７０−６よりも下側）に、Ｘ方向に沿って配置されている。即ち、データ線駆動回路１０１が配置されている方向は、Ｘ方向である。
【００５５】
図６に示すように、本実施形態では特に、複数の外部回路接続端子１０２のうち、画像信号線１７０−１〜１７０−６と夫々電気的に接続された６個の画像信号端子１０２ｖ１〜１０２ｖ６は、周辺領域において、Ｙ方向に沿って配列されている。即ち、画像信号端子１０２ｖ１〜１０２ｖ６は、周辺領域において、Ｙ方向に沿ったＴＦＴアレイ基板１０の縁に近い領域に配列されており、ＴＦＴアレイ基板１０上で平面的に見て、画像信号線１７０−１〜１７０−６がＸ方向に沿って配線された部分と画像信号端子１０２ｖ１〜１０２ｖ６との間にはデータ線駆動回路１０１等の周辺回路は配置されていない。よって、画像信号端子１０２ｖ１〜１０２ｖ６が周辺領域において、Ｘ方向（即ち、データ線駆動回路１０１が配置されている方向）に沿って配列される場合と比較して、６本の画像信号線１０２ｖ１〜１０２ｖ６間の配線長の差異を殆ど或いは好ましくは完全に無くすことができる。従って、６本の画像信号線１０２ｖ１〜１０２ｖ６間の配線抵抗或いは電気容量の差異に起因して生じる縦帯状の表示むらを殆ど或いは好ましくは完全に無くすことが可能となる。
【００５６】
即ち、仮に、画像信号端子１０２ｖ１〜１０２ｖ６を含む複数の外部回路接続端子１０２が、外部回路との電気的な接続のために周辺領域における、Ｘ方向に沿ったＴＦＴアレイ基板１０の縁に近い領域に配列された場合には、複数の外部回路接続端子１０２（言い換えれば、６個の画像信号端子１０２ｖ１〜１０２ｖ６）は、ＴＦＴアレイ基板１０上で平面的に見て、データ線駆動回路１０１に対して、画像表示領域１０ａとは反対側に位置することになる。よって、６本の画像信号線１７０−１〜１７０−６は、データ線駆動回路１０１の周囲を迂回するように配線しなければならず、外回りと内回りとの差異により６本の画像信号線１７０−１〜１７０−６間に生ずる配線長の差異が比較的大きくならざるを得ない。従って、６本の画像信号線１７０−１〜１７０−６間の配線抵抗或いは電気容量の差異に起因して画像表示において縦帯状のむら、言い換えれば、パラレルな画像信号により同時に駆動されるブロック単位のむらが発生してしまう。
【００５７】
しかるに本実施形態では特に、上述したように、６個の画像信号端子１０２ｖ１〜１０２ｖ６は、周辺領域において、データ線駆動回路１０１が配置されている方向（即ち、Ｘ方向）と交わる方向、即ち、Ｙ方向に沿って配列されている。よって、ＴＦＴアレイ基板１０上で平面的に見て、６本の画像信号線１７０−１〜１７０−６のうち画像表示領域１０ａの一辺に沿って（即ち、Ｘ方向に沿って）配線された部分を、殆どそのまま該一辺に沿って（即ち、Ｘ方向に沿って）６個の画像信号端子１０２ｖ１〜１０２ｖ６まで夫々延設することにより、画像信号線１７０−１〜１７０−６及び画像信号端子１０２ｖ１〜１０２ｖ６間を夫々電気的に接続するように構成すれば、６本の画像信号線１７０−１〜１７０−６の配線長を殆ど或いは好ましくは完全に等しく保ちつつ、ＴＦＴアレイ基板１０上で平面的に見てデータ線駆動回路１０１を回避できるので、６本の画像信号線１７０−１〜１７０−６間の配線長の差異を殆ど或いは好ましくは完全に無くすことができる。従って、６本の画像信号線１７０−１〜１７０−６間の配線抵抗或いは電気容量の差異に起因して生じる縦帯状の表示むらを殆ど或いは好ましくは完全に無くすことが可能となる。
【００５８】
尚、図６に示すように、画像信号端子１０２ｖ１〜１０２ｖ６の配列間隔は、画像信号端子１０２ｖ１〜１０２ｖ６の大きさのため、画像信号線１７０−１〜１７０−６の配線幅或いは配線間隔に比べて大きくなっている。よって、画像信号端子１０２ｖ１〜１０２ｖ６と画像信号線１７０−１〜１７０−６との電気的な接続点付近において、画像信号線１７０−１〜１７０−６を互いに異なる配線長で引き回す必要が生じてしまうが、この際に生じる配線長の差異は、画像信号端子１０２ｖ１〜１０２ｖ６がＸ方向に沿って配列された場合に生じる配線長の差異に比較して小さく、縦帯状の表示むらを殆ど或いは実践上全く生じさせない。
＜第２実施形態＞
第２実施形態に係る電気光学装置について、図７を参照して説明する。ここに図７は、第２実施形態における画像信号線及び画像信号端子のＴＦＴアレイ基板上におけるレイアウト、及びＦＰＣの配置を示す平面図である。尚、図７において、図１から図６に示した第１実施形態に係る構成要素と同様の構成要素に同一の参照符合を付し、それらの説明は適宜省略する。
【００５９】
図７では、画像信号線１７０−１〜１７０−６以外の他の引回配線９０については、図示を省略してあるが、それらについては第１実施形態と殆ど同様の構成となっている。
【００６０】
図７に示すように、本実施形態では特に、ＴＦＴアレイ基板１０上に、６本の画像信号線１７０−１〜１７０−６は、Ｘ方向（即ち、画像表示領域１０ａの一辺（即ち、図１中で下側辺））に沿って配線されており、６個の画像信号端子１０２ｖ１〜１０２ｖ６は、６本の画像信号線１７０−１〜１７０−６のＸ方向に沿った延長線上に夫々配置されている。即ち、６本の画像信号端子１０２ｖ１〜１０２ｖ６の配列ピッチ（即ち、Ｙ方向に沿った配列間隔）と、６本の画像信号線１７０−１〜１７０−６の配線間隔（即ち、Ｙ方向に沿って互いに隣接する間隔）とは互いに殆ど等しく、即ち、いずれも間隔Ｄ１で配列或いは配線されている。よって、画像信号線１７０−１〜１７０−６は、Ｘ方向に沿って配線されることで、画像信号端子１０２ｖ１〜１０２ｖ６と電気的に接続されている。即ち、６本の画像信号線１７０−１〜１７０−６間の配線長の差異をより一層或いは完全に無くすことができる。従って、６本の画像信号線１７０−１〜１７０−６間の配線抵抗或いは電気容量の差異に起因して生じる縦帯状の表示むらをより一層或いは完全に無くすことが可能となる。
【００６１】
更に、図７に示すように、本実施形態では、フレキシブル配線基板（或いはＦＰＣ（Flexible Printed Circuit））２００が、外部回路接続端子１０２に接続される。これにより、外部回路からフレキシブル配線基板２００上に配線された複数のフレキシブル配線を介して、Ｙクロック信号ＣＬＹ、反転Ｙクロック信号ＣＬＹｉｎｖ、ＹスタートパルスＤＹ、並びに電源ＶＤＤＹ及びＶＳＳＹ等の走査線駆動回路制御用信号、Ｘクロック信号ＣＬＸ１〜ＣＬＸ４、反転Ｘクロック信号ＣＬＸ１ｉｎｖ〜ＣＬＸ４ｉｎｖ、ＸスタートパルスＤＸ、並びに電源ＶＤＤＸ及びＶＳＳＸ等のデータ線駆動回路用信号、画像信号ＶＩＤ１〜ＶＩＤ６等が外部回路接続端子１０２に夫々供給される。画像信号ＶＩＤ１〜ＶＩＤ６は、複数のフレキシブル配線のうち６本の画像信号供給用フレキシブル配線２１０ｖ１〜２１０ｖ６を介して６個の画像信号端子１０２ｖ１〜１０２ｖ６に夫々供給される。６本の画像信号供給用フレキシブル配線２１０ｖ１〜２１０ｖ６は、フレキシブル配線基板２００上で平面的に見て、互いにほぼ平行に配線されている。
【００６２】
本実施形態では特に、フレキシブル配線基板２００は、画像信号供給用フレキシブル配線２１０ｖ１〜２１０ｖ６が、Ｘ方向に沿うように、即ち、画像信号線１７０−１〜１７０−６と殆ど平行になるように配置されている。言い換えれば、フレキシブル配線基板２００が、ＴＦＴアレイ基板１０に対して、画像信号端子１０２ｖ１〜ｖ６の配列された側（即ち、図１或いは図７中、右側）に配置されることで、画像信号供給用フレキシブル配線２１０ｖ１〜２１０ｖ６は、Ｘ方向に沿うようになっている。よって、６本の画像信号供給用フレキシブル配線２１０ｖ１〜２１０ｖ６を互いに殆ど或いは好ましくは完全に等しい配線長となるように、外部回路から画像信号端子１０２ｖ１〜１０２ｖ６まで配線することができる。従って、６本の画像信号供給用フレキシブル配線２１０ｖ１〜２１０ｖ６間の配線抵抗或いは電気容量の差異に起因して生じる縦帯状の表示むらを殆ど或いは完全に無くすことが可能となる。
＜電子機器＞
次に、上述した電気光学装置である液晶装置を各種の電子機器に適用する場合について説明する。
【００６３】
まず、この液晶装置をライトバルブとして用いたプロジェクタについて説明する。図８は、プロジェクタの構成例を示す平面図である。この図８に示されるように、プロジェクタ１１００内部には、ハロゲンランプ等の白色光源からなるランプユニット１１０２が設けられている。このランプユニット１１０２から射出された投射光は、ライトガイド１１０４内に配置された４枚のミラー１１０６および２枚のダイクロイックミラー１１０８によってＲＧＢの３原色に分離され、各原色に対応するライトバルブとしての液晶パネル１１１０Ｒ、１１１０Ｂおよび１１１０Ｇに入射される。
【００６４】
液晶パネル１１１０Ｒ、１１１０Ｂおよび１１１０Ｇの構成は、上述した液晶装置と同等であり、画像信号処理回路から供給されるＲ、Ｇ、Ｂの原色信号でそれぞれ駆動されるものである。そして、これらの液晶パネルによって変調された光は、ダイクロイックプリズム１１１２に３方向から入射される。このダイクロイックプリズム１１１２においては、ＲおよびＢの光が９０度に屈折する一方、Ｇの光が直進する。したがって、各色の画像が合成される結果、投射レンズ１１１４を介して、スクリーン等にカラー画像が投写されることとなる。
【００６５】
ここで、各液晶パネル１１１０Ｒ、１１１０Ｂおよび１１１０Ｇによる表示像について着目すると、液晶パネル１１１０Ｇによる表示像は、液晶パネル１１１０Ｒ、１１１０Ｂによる表示像に対して左右反転することが必要となる。
【００６６】
尚、液晶パネル１１１０Ｒ、１１１０Ｂおよび１１１０Ｇには、ダイクロイックミラー１１０８によって、Ｒ、Ｇ、Ｂの各原色に対応する光が入射するので、カラーフィルタを設ける必要はない。
【００６７】
次に、液晶装置を、モバイル型のパーソナルコンピュータに適用した例について説明する。図９は、このパーソナルコンピュータの構成を示す斜視図である。図９において、コンピュータ１２００は、キーボード１２０２を備えた本体部１２０４と、液晶表示ユニット１２０６とから構成されている。この液晶表示ユニット１２０６は、先に述べた液晶装置１００５の背面にバックライトを付加することにより構成されている。
【００６８】
更に、液晶装置を、携帯電話に適用した例について説明する。図１０は、この携帯電話の構成を示す斜視図である。図１０において、携帯電話１３００は、複数の操作ボタン１３０２とともに、反射型の液晶装置１００５を備えるものである。この反射型の液晶装置１００５にあっては、必要に応じてその前面にフロントライトが設けられる。
【００６９】
尚、図８から図１０を参照して説明した電子機器の他にも、液晶テレビや、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた装置等などが挙げられる。そして、これらの各種電子機器に適用可能なのは言うまでもない。
【００７０】
また本発明は、上述の実施形態で説明した液晶装置以外にも、シリコン基板上に素子を形成する反射型液晶装置（ＬＣＯＳ）、プラズマディスプレイ（ＰＤＰ）、電界放出型ディスプレイ（ＦＥＤ、ＳＥＤ）、有機ＥＬディスプレイ、デジタルマイクロミラーデバイス（ＤＭＤ）、電気泳動装置等にも適用可能である。
【００７１】
本発明は、上述した実施形態に限られるものではなく、請求の範囲及び明細書全体から読み取れる発明の要旨或いは思想に反しない範囲で適宜変更可能であり、そのような変更を伴う電気光学装置及び該電気光学装置を備えてなる電子機器もまた本発明の技術的範囲に含まれるものである。
【図面の簡単な説明】
【００７２】
【図１】第１実施形態に係る液晶装置の全体構成を示す平面図である。
【図２】図１のＨ−Ｈ´線での断面図である。
【図３】液晶装置の全体構成を示すブロック図である。
【図４】液晶パネルの電気的な構成を示すブロック図である。
【図５】データ線の駆動に係る回路構成を示す回路図である。
【図６】画像信号線及び画像信号端子のＴＦＴアレイ基板上におけるレイアウトを示す平面図である。
【図７】第２実施形態における画像信号線及び画像信号端子のＴＦＴアレイ基板上におけるレイアウト、及びＦＰＣの配置を示す平面図である。
【図８】電気光学装置を適用した電子機器の一例たるプロジェクタの構成を示す平面図である。
【図９】電気光学装置を適用した電子機器の一例たるパーソナルコンピュータの構成を示す斜視図である。
【図１０】電気光学装置を適用した電子機器の一例たる携帯電話の構成を示す斜視図である。
【符号の説明】
【００７３】
６ａ…データ線、７…サンプリング回路、９ａ…画素電極、１１ａ…走査線、１０…ＴＦＴアレイ基板、１０ａ…画像表示領域、２０…対向基板、１０１…データ線駆動回路、１０２…外部回路接続端子、１０２ｖ１〜１０２ｖ６…画像信号端子、１０４…走査線駆動回路、１０６…上下導通端子、１７０…画像信号線、７００…画素部
【図１】
2007140267.tif 000003
【図２】
2007140267.tif 000004
【図３】
2007140267.tif 000005
【図４】
2007140267.tif 000006
【図５】
2007140267.tif 000007
【図６】
2007140267.tif 000008
【図７】
2007140267.tif 000009
【図８】
2007140267.tif 000010
【図９】
2007140267.tif 000011
【図１０】
2007140267.tif 000012